(57)【要約】      （修正有）【課題】レースにおいて、再帰性反射を実現した反射レースを提供する。【解決手段】再帰性反射布を切断して得た反射スリットヤーン１を、レース中に特定の模様または連続線を描くように編み込んだことを特徴とする、反射レース３０である。反射レースは、反射スリットヤーンが特定の模様または連続線を描くように編み込まれているから、光が照射されたときに反射スリットヤーンが再帰性反射を生じ、薄暮れ時や夜間等において視認性を確保できる反射レースとすることができる。よって、この考案の反射レースは、スポーツウェア、特に女性用スポーツウェア（ヨガ用ウェア、ダンス用ウェア、ランニング用ウェア等）に好適に適用でき、ファッショナブルでかつ夜間等の安全性に配慮したスポーツウェア、特に女性用スポーツウェアを実現することができる。【選択図】図３
0003200430.tif 000002
【実用新案登録請求の範囲】
【請求項１】
再帰性反射布を切断して得た反射スリットヤーンを、レース中に特定の模様または連続線を描くように編み込んだことを特徴とする、反射レース。
【請求項２】
前記レースの素材はポリエステル糸であり、当該ポリエステル糸に反射スリットヤーンが折り込まれていることを特徴とする、請求項１に記載の反射レース。
【請求項３】
前記反射レースは、細幅で、一方辺が基部、他方辺が自由部（フリル部）となる非シンメトリーなテープを含み、
前記他方辺側に前記反射スリットヤーンが編み込まれていることを特徴とする、請求項１または２に記載の反射レース。
【請求項４】
前記反射レースは、シンメトリー形状のテープを含み、リバーシブル使いができることを特徴とする、請求項１または２に記載の反射レース。
【請求項５】
前記再帰性反射布は、基材フィルムの両面に、それぞれ、積層された反射層としてのアルミフィルム層およびその表面に積層されたガラスビーズ層を含み、当該再帰性反射布が所定の細幅に切断されて反射スリットヤーンとなっていることを特徴とする、請求項１〜４のいずれか１項に記載の反射レース。
【考案の詳細な説明】
【技術分野】
【０００１】
この考案は、編み物としてのレースに関する。
【背景技術】
【０００２】
レースには様々なタイプのものがあるが、中でもトーションレース（Machine Bobbin Lace）は、色々な種類の糸を編み機の中心に向かって絡めて、テープ状に編み上げて生産されるもので、種々の用途に供されている。（非特許文献１および２を参照）
また、反射布が実用化されており、種々の用途に用いられている。反射布は、入射光を光源の方向に真っ直ぐ戻す「再帰性反射」を実現した布で、たとえば夜間工事の作業服等に反射布が縫いつけられていることは公知である。（非特許文献３を参照）
【先行技術文献】
【非特許文献】
【０００３】
【非特許文献１】www.torchon-lace.co.jp
【非特許文献２】www.inashow.com/lace/abutlace/torchon.htm
【非特許文献３】http://www.mmm.co.jp/security/scotchlite/index.html
【考案の概要】
【考案が解決しようとする課題】
【０００４】
レースにおいて、これまで再帰性反射を付与したものは実現されていない。
この考案は、レースにおいて、再帰性反射を実現した反射レースを提供することを課題とする。
【課題を解決するための手段】
【０００５】
上記課題を解決するために、この考案は、再帰性反射布を切断して得た反射スリットヤーンを、レース中に特定の模様または連続線を描くように編み込んだことを特徴とする、反射レースである。
また、この考案は、前記レースの素材はポリエステル糸であり、当該ポリエステル糸に反射スリットヤーンが折り込まれていることを特徴とする、請求項１に記載の反射レースである。
【０００６】
さらに、この考案は、前記反射レースは、細幅で、一方辺が基部、他方辺が自由部（フリル部）となる非シンメトリーなテープを含み、前記他方辺側に前記反射スリットヤーンが編み込まれていることを特徴とする、請求項１または２に記載の反射レースである。
また、この考案は、前記反射レースは、シンメトリー形状のテープを含み、リバーシブル使いができることを特徴とする、請求項１または２に記載の反射レースである。
【０００７】
さらに、この考案は、前記再帰性反射布は、基材フィルムの両面に、それぞれ、積層された反射層としてのアルミフィルム層およびその表面に積層されたガラスビーズ層を含み、当該再帰性反射布が所定の細幅に切断されて反射スリットヤーンとなっていることを特徴とする、請求項１〜４のいずれか１項に記載の反射レースである。
【考案の効果】
【０００８】
この考案の反射レースは、反射スリットヤーンが特定の模様または連続線を描くように編み込まれているから、光が照射されたときに反射スリットヤーンが再帰性反射を生じ、薄暮れ時や夜間等において視認性を確保できる反射レースとすることができる。
よって、この考案の反射レースは、スポーツウェア、特に女性用スポーツウェア（ヨガ用ウェア、ダンス用ウェア、ランニング用ウェア等）に好適に適用でき、ファッショナブルでかつ夜間等の安全性に配慮したスポーツウェア、特に女性用スポーツウェアを実現することができる。
【図面の簡単な説明】
【０００９】
【図１】図１は、この考案の一実施形態に係る反射レースの形態を示す図である。
【図２】図２は、この考案の一実施形態に係る反射レースの形態を示す図である。
【図３】図３は、この考案の一実施形態に係る反射レースの形態を示す図である。
【図４】図４は、この考案に用いられる反射スリットヤーン１の元になる再帰性反射布２の構成を示す図解的な断面図である。
【考案を実施するための形態】
【００１０】
より具体的に、図面を参照して、この考案の実施形態について詳しく説明する。
図１は、この考案の一実施形態に係る反射レース１０の部分平面図である。反射レース１０は、横方向に長手をしたテープであり、上下方向にはシンメトリーな模様編みで構成されている。レースの素材は、ポリエステル糸が用いられており、そのレース中に特定の模様を描くように反射スリットヤーン１が編み込まれている。
【００１１】
反射レース１０は、背面側も同じ模様であり、リバーシブル使いができる構成となっている。
図２は、この考案の他の実施形態に係る反射レース２０の部分平面図である。この反射レース２０も、レースの素材はポリエステル糸で編まれており、長さ方向中央部に反射スリットヤーン１で編み込まれた横長で直線状の模様が編み込まれている。
【００１２】
図３は、この考案のさらに他の実施形態に係る反射レース３０の部分平面図である。この反射レース３０は、細幅で、上辺が基部、下辺が自由部（フリル部）となる上下に非シンメトリーで、横方向に長手のテープを構成している。レースの素材は、先の実施形態と同様に、ポリエステル糸で編まれている。反射レース３０は、下辺側のフリル部に、反射スリットヤーン１が編み込まれていて、フリル部が再帰性反射を生じ得る構成とされている。
【００１３】
図４は、この考案に用いられる反射スリットヤーン１の元になる再帰性反射布２の構成を示す図解的な断面図である。再帰性反射布２は、樹脂（たとえばポリエステル樹脂）の基材フィルム３を有し、その一方表面（上面）には、接着剤層４を介して反射層を構成するアルミフィルム層５が積層されている。そしてさらにアルミフィルム層５の上には接着剤６を介して多数のガラスビーズ７の層が配置されている。
【００１４】
基材フィルム３の他方表面（下面）にも、上面と同様に、接着層４、アルミフィルム層５およびガラスビーズ層７が積層されている。
反射スリットヤーン１は、この再帰性反射布を所望の幅の糸状に切断して得られたものである。
この考案の反射レースは、レースの素材がポリエステル糸で編まれており、また、編み込まれた反射スリットヤーンも、ポリエステル樹脂フィルムを主体とするものであるから、反射レースとして編み上げた後の収縮を抑えることができ、衣類、特にスポーツウェア等への適応性に優れている。
【００１５】
特に、女性用スポーツウェアでは、レース（レーステープ）をアクセントとして組み込み装飾性を高めることが多い。その場合に、組み込まれたレース（レーステープ）が反射レースであるから、スポーツウェアは夜間等における視認性に優れたものとなり、たとえば夜間のランニング等において、より安全な反射レース付きのスポーツウェアとなる。
さらに、この考案の反射レースは、ストレッチ性のあるトーションレースとして編み上げることにより、伸縮性レースとすることもできる。
【００１６】
この考案に係る反射レースは、レースの模様や形態は、上記実施形態で例示した模様や形態に限定されるものではない。この考案は、請求項に記載の範囲内において種々の変更が可能である。
【符号の説明】
【００１７】
１    反射スリットヤーン
２    再帰性反射布
３    基材フィルム
４    接着層
５    アルミフィルム層
６    接着剤
７    ガラスビーズ層
１０、２０、３０    反射レース
【図４】
0003200430.tif 000003
【図１】
0003200430.tif 000004
【図２】
0003200430.tif 000005
【図３】
0003200430.tif 000006
【手続補正書】
【提出日】平成27年8月19日(2015.8.19)
【手続補正１】
【補正対象書類名】実用新案登録請求の範囲
【補正対象項目名】全文
【補正方法】変更
【補正の内容】
【実用新案登録請求の範囲】
【請求項１】
再帰性反射布を切断して得た反射スリットヤーンを、レース中に特定の模様または連続線を描くように編み込んだことを特徴とする、反射レース。
【請求項２】
前記レースの素材はポリエステル糸であり、当該ポリエステル糸に反射スリットヤーンが折り込まれていることを特徴とする、請求項１に記載の反射レース。
【請求項３】
前記反射レースは、細幅で、一方辺が基部、他方辺がフリル部となる非シンメトリーなテープ形状をなし、
前記他方辺側に前記反射スリットヤーンが編み込まれていることを特徴とする、請求項１または２に記載の反射レース。
【請求項４】
前記反射レースは、シンメトリー形状のテープをなし、リバーシブル使いができることを特徴とする、請求項１または２に記載の反射レース。
【請求項５】
前記再帰性反射布は、基材フィルムの両面に、それぞれ、積層された反射層としてのアルミフィルム層およびその表面に積層されたガラスビーズ層を含み、当該再帰性反射布が所定の細幅に切断されて反射スリットヤーンとなっていることを特徴とする、請求項１〜４のいずれか１項に記載の反射レース。
【手続補正２】
【補正対象書類名】明細書
【補正対象項目名】０００６
【補正方法】変更
【補正の内容】
【０００６】
さらに、この考案は、前記反射レースは、細幅で、一方辺が基部、他方辺がフリル部となる非シンメトリーなテープ形状をなし、前記他方辺側に前記反射スリットヤーンが編み込まれていることを特徴とする、請求項１または２に記載の反射レースである。
また、この考案は、前記反射レースは、シンメトリー形状のテープをなし、リバーシブル使いができることを特徴とする、請求項１または２に記載の反射レースである。
【手続補正３】
【補正対象書類名】明細書
【補正対象項目名】００１２
【補正方法】変更
【補正の内容】
【００１２】
図３は、この考案のさらに他の実施形態に係る反射レース３０の部分平面図である。この反射レース３０は、細幅で、上辺が基部、下辺が自由部としてのフリル部となる上下に非シンメトリーで、横方向に長手のテープを構成している。レースの素材は、先の実施形態と同様に、ポリエステル糸で編まれている。反射レース３０は、下辺側のフリル部に、反射スリットヤーン１が編み込まれていて、フリル部が再帰性反射を生じ得る構成とされている。